(57)【要約】【課題】光沢面を有する原稿の読み取り時に、原稿の光沢面による「テカリ」を防止可能なスタンド式の画像読取装置を提供する。【解決手段】外部からの光が原稿台１０２に載置した原稿１０の表面から反射して撮像部１０１に入射することを防止する半透明の素材からなる反射抑止板１０３を、原稿台１０２と一体化または着脱可能な構造で備え、原稿台１０２に対してヒンジ１０５により回動自在に反射抑止板１０３を回動させ、原稿台１０２となす角度を、９０度を超えない角度の範囲内であらかじめ設定した角度と、ほぼ０度の角度と、の二つの角度のいずれかに固定して保持可能とする。原稿台１０２の上方に位置する撮像部１０１の横方向の位置を、原稿台１０２の視野範囲の中心位置よりもいずれかの辺方向に偏って配置する。原稿台１０２に原稿１０を載置すべき範囲を載置範囲１０４としてあらかじめ設定する。【選択図】        図１
2008131325.tif 000002
【特許請求の範囲】
【請求項１】
原稿を撮像部に密着させずに読み取るスタンド式の画像読取装置において、原稿を載置する原稿台に、外部からの光が前記原稿台に載置した原稿表面から反射して、前記撮像部に入射することを防止する反射抑止板を備えていることを特徴とする画像読取装置。
【請求項２】
請求項１に記載の画像読取装置において、前記反射抑止板が、半透明の素材からなっていることを特徴とする画像読取装置。
【請求項３】
請求項１または２に記載の画像読取装置において、前記反射抑止板が、前記原稿台と一体化した構造として備えられていることを特徴とする画像読取装置。
【請求項４】
請求項３に記載の画像読取装置において、前記反射抑止板を、前記原稿台の原稿載置面と９０度を超えない角度の範囲内で、あらかじめ設定した角度に固定して保持する機構を備えていることを特徴とする画像読取装置。
【請求項５】
請求項３に記載の画像読取装置において、前記反射抑止板を前記原稿台の原稿載置面に対して回動自在とするヒンジ機構と、該ヒンジ機構により前記反射抑止板を回動させて、前記原稿台の原稿載置面となす角度を、ほぼ０度の角度と、９０度を超えない角度の範囲内であらかじめ設定した角度と、の二つの角度のいずれかに固定して保持する機構とを備えていることを特徴とする画像読取装置。
【請求項６】
請求項３ないし５のいずれかに記載の画像読取装置において、前記原稿台に原稿を載置する範囲が、外部からの光が前記原稿台に載置した原稿表面からの反射光として前記撮像部に入射することを防止可能な範囲として、あらかじめ設定されていることを特徴とする画像読取装置。
【請求項７】
請求項１または２に記載の画像読取装置において、前記反射抑止板が、前記原稿台と着脱自在な構造として備えられていることを特徴とする画像読取装置。
【請求項８】
請求項７に記載の画像読取装置において、前記反射抑止板が、原稿を載置する載置板と、外部からの光を遮光するための抑止板とからなっていることを特徴とする画像読取装置。
【請求項９】
請求項８に記載の画像読取装置において、前記反射抑止板が、前記抑止板を、前記載置板と９０度を超えない角度の範囲内で、あらかじめ設定した角度に固定して保持する機構を備えていることを特徴とする画像読取装置。
【請求項１０】
請求項８に記載の画像読取装置において、前記反射抑止板が、前記抑止板を前記載置板に対して回動自在とするヒンジ機構と、該ヒンジ機構により前記抑止板を回動させて、前記載置板となす角度を、ほぼ０度の角度と、９０度を超えない角度の範囲内であらかじめ設定した角度と、の二つの角度のいずれかに固定して保持する機構とを備えていることを特徴とする画像読取装置。
【請求項１１】
請求項８ないし１０のいずれかに記載の画像読取装置において、前記反射抑止板の前記載置板に原稿を載置する範囲が、当該反射抑止板を当該画像読取装置に取り付けた場合に外部からの光が前記載置板に載置した原稿表面からの反射光として前記撮像部に入射することを防止可能な範囲として、あらかじめ設定されていることを特徴とする画像読取装置。
【請求項１２】
請求項７ないし１１のいずれかに記載の画像読取装置において、前記反射抑止板を当該画像読取装置に取り付ける際に、当該反射抑止板を前記原稿台の原稿載置面上に載置することを特徴とする画像読取装置。
【請求項１３】
請求項１２に記載の画像読取装置において、前記反射抑止板を前記原稿台の原稿載置面上に載置する範囲が、当該反射抑止板を当該画像読取装置に取り付けた場合に外部からの光が前記載置板に載置した原稿表面からの反射光として前記撮像部に入射することを防止可能な範囲として、あらかじめ設定されていることを特徴とする画像読取装置。
【請求項１４】
請求項１ないし１３のいずれかに記載の画像読取装置において、前記原稿台の原稿載置面の上方に設置される前記撮像部の横方向の位置が、前記原稿台の原稿載置面の中心位置よりも、当該原稿載置面のいずれかの辺方向に偏って配置されていることを特徴とする画像読取装置。
【発明の詳細な説明】
【技術分野】
【０００１】
本発明は、画像読取装置に関し、特に、撮像部に密着させずに、光沢面を有する原稿を読み取るスタンド型のスキャナ装置あるいは書画カメラ装置などの画像読取装置に関する。本発明は、免許証、保険証、クレジットカード、あるいは、写真などの光沢面を有する原稿を読み取る画像読取装置として好適に適用することができる。
【背景技術】
【０００２】
一般に、撮像部に原稿を密着させずに、読み取りを行うデスクスタンド型のスキャナ、あるいは、書画カメラ装置などの画像読取装置において、光沢面を有する原稿、例えば、免許証、保険証、クレジットカード、あるいは、写真など、を読み込ませる場合には、原稿の光沢面が、天井光などの室内の照明からの光を反射させて、スタンド式の撮影部あるいは書画カメラのカメラ部などの撮像部に反射光として直接入り込み、読み込んだ画像の原稿面が白く飛んでしまういわゆる「テカリ」現象が生じてしまう。
【０００３】
このため、従来のスタンド型スキャナ装置や書画カメラ装置などの画像読取装置においては、光沢面を有する原稿を読み込ませる場合、当該画像読取装置の読込み視野範囲内で原稿を移動させて、反射による悪影響がない場所を探し出したり、あるいは、当該画像読取装置の上側に光を遮光するための大掛かりなフードを設けたりすることが必要であった。あるいは、場合によっては、反射を起こさない場所へ画像読取装置そのものを移動させることが必要となることもあった。
【０００４】
また、図５に示すように、表面にシボ加工（凹凸模様の加工）を施した透明で薄いフィルムを素材として、光沢面を有する原稿を当該フィルムに挟むように構成したフォルダを使用する方式も、画像読取装置の反射防止策の一つとして一般的に試みられている。図５は、従来の画像読取装置の反射防止手段として透明フィルムを用いる例を示す模式図である。
【０００５】
この方式は、図５（Ａ）、（Ｂ）に示すように、光沢面を有する原稿１１を読み取る場合、原稿１１を、表面にシボ加工を施した透明フィルム１２に挟み込んだ状態にした後、図５（Ｃ）に示すように、画像読取装置１００Ｂの原稿台１０２Ｂの読込み視野範囲内に載置して、読み取るようにするものである。表面が凹凸模様の透明フィルム１２に原稿１１を挟み込むことにより、原稿１１からの反射光が撮像部１０１Ｂに直接入り込まないようにすることができる。
【０００６】
さらに、図６に示すように、図５のシボ加工の透明フィルム１２の代わりに、例えば、特許文献１の特開２００１-２５５４１５号公報「導光板」に記載のような硬い半透明アクリル板や半透明ガラスなどの導光板に、さらにシボ加工を表面に施した導光板１１０を画像読取装置用に用いる方法も、画像読取装置の反射防止策として提案されている。図６は、従来の画像読取装置の反射防止手段として導光板を用いる例を示す模式図である。
【０００７】
図６（Ａ）に示すように、画像読取装置１００Ｃの原稿台１０２Ｃ上にはシボ加工を表面に施した導光板１１０が回動自在な形式で固着されており、図６（Ｂ）に示すように、原稿台１０２Ｃの手前側から導光板１１０を持ち上げて、奥側に回動可能とするために、原稿台１０２Ｃの奥側にヒンジを介して固着されている。すなわち、導光板１１０は、原稿を載置した原稿台１０２Ｃに蓋をするいわゆる蓋式の機構を形成している。
【０００８】
光沢面を有する原稿を読み取る場合、図６（Ｂ）のように、シボ加工を表面に施した導光板１１０を回動させて、原稿台１０２Ｃを開いた状態にして、原稿を原稿台１０２Ｃ上に載置した後、図６（Ａ）のように、導光板１１０によって原稿台１０２Ｃに蓋をすることにより、原稿を導光板１１０の下に挟み込んだ状態にして、読み取るようにする。表面が凹凸模様の導光板１１０に原稿が挟み込まれることにより、原稿からの反射光が撮像部１０１Ｃに直接入射しないようにすることができる。
【特許文献１】特開２００１-２５５４１５号公報（第３−４頁）
【発明の開示】
【発明が解決しようとする課題】
【０００９】
しかしながら、前述した従来の技術のうち、光沢面を有する原稿を画像読取装置の読込み視野範囲内で移動させるような方法では、室内照明の照明器具と画像読取装置との位置関係によっては、画像読取装置の読込み視野範囲内では、光沢面を有する原稿の読み取り時に、いわゆる「テカリ」を生じさせない位置を見つけ出すことができない場合が生じる。
【００１０】
また、画像読取装置そのものを移動する方法においても、室内照明の照明器具や室内レイアウトによっては、画像読取装置を移動しても、いわゆる「テカリ」を生じさせない場所を、見つけ出すことができないことが生じる。
【００１１】
また、表面にシボ加工を施した透明フィルムによるフォルダを使用するという従来の技術においては、当該フォルダに原稿を挟んだ状態において、当該透明フィルムと原稿の光沢面との間に隙間が存在してしまう場合には、原稿の光沢面で光を強く反射してしまうことに変わりはなく、いわゆる「テカリ」現象を防止することができないという問題がある。
【００１２】
さらに、シボ加工を施した半透明アクリル板や半透明ガラスなどの導光板を原稿台に回動自在に固着して、原稿を下に挟み込むという従来の技術においても、当該導光板と原稿の光沢面との間に隙間が存在してしまう場合には、同様に、原稿の光沢面で光を強く反射してしまうことに変わりはなく、いわゆる「テカリ」現象を確実には防止することができないという問題がある。
【００１３】
また、導光板として硬い半透明アクリル板や半透明ガラスを回動させるためには、ヒンジ部に大きな力を加えることが必要であり、操作性に難があるのみならず、ヒンジ部の機械的強度を高めるような構造設計をすることも必要となってしまう。
【００１４】
本発明は、かかる問題を解決するためになされたものであり、光沢面を有する原稿を読み取る場合、室内照明などの外部からの光が、原稿の表面で反射して、撮像部の光学系に入射することを確実に抑止可能とする反射抑止板を、原稿台に取り付け可能な画像読取装置を提供することを、その目的としている。
【課題を解決するための手段】
【００１５】
前述の課題を解決するため、本発明による画像読取装置は、次のような特徴的な構成を採用している。
【００１６】
（１）原稿を撮像部に密着させずに読み取るスタンド式の画像読取装置において、原稿を載置する原稿台に、外部からの光が前記原稿台に載置した原稿表面から反射して、前記撮像部に入射することを防止する反射抑止板を備えている画像読取装置。
（２）上記（１）の画像読取装置において、前記反射抑止板が、半透明の素材からなっている画像読取装置。
（３）上記（１）または（２）の画像読取装置において、前記反射抑止板が、前記原稿台と一体化した構造として備えられている画像読取装置。
（４）上記（３）の画像読取装置において、前記反射抑止板を、前記原稿台の原稿載置面と９０度を超えない角度の範囲内で、あらかじめ設定した角度に固定して保持する機構を備えている画像読取装置。
（５）上記（３）の画像読取装置において、前記反射抑止板を前記原稿台の原稿載置面に対して回動自在とするヒンジ機構と、該ヒンジ機構により前記反射抑止板を回動させて、前記原稿台の原稿載置面となす角度を、ほぼ０度の角度と、９０度を超えない角度の範囲内であらかじめ設定した角度と、の二つの角度のいずれかに固定して保持する機構とを備えている画像読取装置。
（６）上記（３）ないし（５）のいずれかの画像読取装置において、前記原稿台に原稿を載置する範囲が、外部からの光が前記原稿台に載置した原稿表面からの反射光として前記撮像部に入射することを防止可能な範囲として、あらかじめ設定されている画像読取装置。
（７）上記（１）または（２）の画像読取装置において、前記反射抑止板が、前記原稿台と着脱自在な構造として備えられている画像読取装置。
（８）上記（７）の画像読取装置において、前記反射抑止板が、原稿を載置する載置板と、外部からの光を遮光するための抑止板とからなっている画像読取装置。
（９）上記（８）の画像読取装置において、前記反射抑止板が、前記抑止板を、前記載置板と９０度を超えない角度の範囲内で、あらかじめ設定した角度に固定して保持する機構を備えている画像読取装置。
（１０）上記（８）の画像読取装置において、前記反射抑止板が、前記抑止板を前記載置板に対して回動自在とするヒンジ機構と、該ヒンジ機構により前記抑止板を回動させて、前記載置板となす角度を、ほぼ０度の角度と、９０度を超えない角度の範囲内であらかじめ設定した角度と、の二つの角度のいずれかに固定して保持する機構とを備えている画像読取装置。
（１１）上記（８）ないし（１０）のいずれかの画像読取装置において、前記反射抑止板の前記載置板に原稿を載置する範囲が、当該反射抑止板を当該画像読取装置に取り付けた場合に外部からの光が前記載置板に載置した原稿表面からの反射光として前記撮像部に入射することを防止可能な範囲として、あらかじめ設定されている画像読取装置。
（１２）上記（７）ないし（１１）のいずれかの画像読取装置において、前記反射抑止板を当該画像読取装置に取り付ける際に、当該反射抑止板を前記原稿台の原稿載置面上に載置する画像読取装置。
（１３）上記（１２）の画像読取装置において、前記反射抑止板を前記原稿台の原稿載置面上に載置する範囲が、当該反射抑止板を当該画像読取装置に取り付けた場合に外部からの光が前記載置板に載置した原稿表面からの反射光として前記撮像部に入射することを防止可能な範囲として、あらかじめ設定されている画像読取装置。
（１４）上記（１）ないし（１３）のいずれかの画像読取装置において、前記原稿台の原稿載置面の上方に設置される前記撮像部の横方向の位置が、前記原稿台の原稿載置面の中心位置よりも、当該原稿載置面のいずれかの辺方向に偏って配置されている画像読取装置。
【発明の効果】
【００１７】
本発明の画像読取装置によれば、次のような効果を奏することができる。
【００１８】
第１に、室内の照明環境の如何によらず、画像読取装置（スタンド式スキャナ装置や書画カメラ装置など）の原稿台に反射抑止板を一体化して、あるいは、着脱自在な形式で、備える構造とするとともに、光沢面を有する原稿を載置する原稿台の位置を特定することを可能としているので、原稿の光沢面でいわゆる「テカリ」現象を起こすことがない原稿の載置位置を探し出す手間が不要になるという効果が得られる。
【００１９】
また、第２に、室内の照明環境の如何によらず、画像読取装置（スタンド式スキャナ装置や書画カメラ装置など）を任意の場所で使用しても、光沢面を有する原稿を読み込む際のいわゆる「テカリ」現象を低減することができるので、「テカリ」現象を起こすことがない画像読取装置の設置場所を探し出す手間も不要になるという効果が得られる。
【００２０】
さらに、第３に、従来技術に記載したような、表面にシボ加工を施した透明フィルムに原稿を挟んだり、表面にシボ加工を施した半透明の導光板と原稿台との間に原稿を挟み込んだりするものではなく、原稿の光沢面で直接反射して、画像読取装置（スタンド式スキャナ装置や書画カメラ装置など）の光学系に入射する外部からの光を反射抑止板によって遮光する方式であるので、原稿の光沢面とシボ加工を施した透明フィルムや半透明の導光板との間に生じる隙間を防止する手段を用意する必要はなく、光沢面を有する原稿を読み込む場合であっても、あらかじめ設定されている原稿台上の特定の載置範囲内に原稿を載置するだけで、いわゆる「テカリ」現象を低減した画像を読み取ることができるという効果が得られる。
【発明を実施するための最良の形態】
【００２１】
以下、本発明による画像読取装置の好適実施形態例について添付図を参照して説明する。
【００２２】
（実施例）
本発明による画像読取装置の基本的な構成の一例を図１に示す。図１の画像読取装置１００においては、光沢面を有する原稿の一例として免許証（９ｃｍ×６ｃｍのサイズ）を読み取る場合を例にとって示している。図１の画像読取装置１００は、原稿１０を撮像部１０１（例えば、スタンド式のスキャナ装置におけるスキャナヘッド部）に密着させずに、原稿１０を画像として読み取るスタンド式の画像読取装置であって、画像読み取り用の光学系を内蔵する撮像部１０１に対向する位置にある原稿台１０２上に原稿１０を載置して、撮像部１０１の光学系からの照射光が原稿１０の表面で直接反射した光を撮像部１０１の光学系に入射する構成であり、外部から入射する光（例えば、室内照明からの光）が、原稿台１０２上の原稿１０の表面で反射して、撮像部１０１の光学系に入射することを防止するために、半透明の素材からなる反射抑止板１０３が回動自在な状態で備えられている。
【００２３】
なお、原稿１０を載置する原稿台１０２の上方向に配置される撮像部１０１の横方向の位置は、原稿台１０２の原稿載置面（画像読み取り面の視野範囲）のいずれかの辺方向（図１の反射抑止板１０３の取り付け位置とは反対側の手前側の辺方向）に偏って配置されている。
【００２４】
すなわち、図１（Ａ）に示すように、本発明の一実施例である画像読取装置１００は、原稿台１０２上には、室内照明などの外部からの光の反射を遮光するための反射抑止板１０３が回動自在な形式で固着されており、図１（Ｂ）に示すように、原稿台１０２の手前側から反射抑止板１０３を持ち上げて、図１（Ｂ）の右側に回動可能とするように、原稿台１０２の右側の辺に沿ってヒンジ１０５を介して固着されている。
【００２５】
ここで、図１の画像読取装置１００は、図６に示した画像読取装置１００Ｃの場合と類似した構造であるものの、反射抑止板１０３は、画像読取装置１００Ｃの導光板１１０とは異なり、原稿を読み取る際に原稿を挟み込むように原稿台１０２Ｃに蓋をする形式ではなく、図１（Ｃ）に示すように、原稿を読み取る際に、原稿台１０２からあらかじめ定めた特定の角度（すなわち、外部からの光が入射して原稿１０の表面から撮像部１０１方向に反射することを抑止可能とする反射抑止角度。例えば６５度）だけ、回動させた位置で固定・保持させて、撮像部１０１の光学系からの光が原稿台１０２上に載置した原稿１０に直接照射される状態にして、読み取るようにしている。
【００２６】
また、図１の画像読取装置１００の反射抑止板１０３は、図６の画像読取装置１００Ｃの導光板１１０とは異なり、原稿のサイズが、免許証、保険証、クレジットカード、あるいは、Ｌ判写真などのような小型のものを読み取り対象とする場合、原稿台１０２の画像読取範囲（視野範囲）と同一のサイズを必要とせず、原稿台１０２の画像読取範囲（視野範囲）よりも小さいサイズでも十分である。
【００２７】
さらに、図１の画像読取装置１００においては、光沢面を有する原稿を載置すべき原稿台１０２上の範囲を載置範囲１０４として、あらかじめ特定して指定可能としている。例えば、画像読取装置１００の画像読取範囲（視野範囲）が、２２ｃｍ×３２ｃｍの範囲であった場合であって、撮像部１０１の横方向の位置が、画像読取範囲のいずれかの境界線に偏らせて配置されており、反射抑止角度（すなわち、撮像時に反射抑止板１０３を回動させて固定した際の原稿台１０２と反射抑止板１０３とがなす角度）を６５度とした場合、この載置範囲１０４の領域は、図１（Ｃ）に示すように、ヒンジ１０５側に底辺を有する台形の形状であり、図１（Ｄ）に示すように、ヒンジ１０５側に位置する底辺の長さが３２ｃｍ、上辺の長さが２０ｃｍ、高さが１３ｃｍの台形状の範囲（図１（Ｃ）、（Ｄ）のハッチング部分の範囲）となる。
【００２８】
すなわち、このような載置範囲１０４に収まるように、読み取り対象の免許証（９ｃｍ×６ｃｍ）を載置すれば、原稿の光沢面でいわゆる「テカリ」現象を起こすことがない状態で、原稿を読み取ることができる。
【００２９】
なお、反射抑止板１０３は、原稿台１０２と一体化して固着するようにしても良いし、原稿台１０２とは着脱自在な構造としても良い。原稿台１０２と一体化して固着する場合に、表面に光沢面を有する原稿を読み取るために常に反射抑止板１０３を使用するような場合は、反射抑止板１０３の反射抑止角度として、一般に、原稿台１０２とは９０度を超えない特定の角度（例えば６５度）で固定して保持する機構を設けるようにすれば良い。
【００３０】
一方、原稿台１０２と一体化して固着する場合であっても、読み取る対象の原稿が、表面に光沢面を有する原稿であったり、光沢がない原稿であったりして、反射抑止板１０３を使用したり、しなかったりする場合には、反射抑止板１０３の反射抑止角度として、一般に、原稿台１０２とは９０度を超えない特定の角度（例えば６５度）で固定して保持する機構と収納時には原稿台１０２との角度をほぼ０度とする位置に固定して保持する機構とを有する折畳み構造とすれば良い。
【００３１】
また、反射抑止角度に保持して反射抑止板１０３を支える構造としては、図１のように、原稿１０を載置する原稿台１０２と反射抑止板１０３とを一体化して、あるいは、着脱自在とする場合は、原稿台１０２と反射抑止板１０３とを嵌合させるような構造としても良いし、あるいは、ヒンジを介して回動自在な２枚の板からなる折り畳み式の２重構造の反射抑止板１０３の構造とする場合、反射抑止角度の位置にロック機構を備えて、反射抑止板１０３側の板を回動させて反射抑止角度の位置でロック機構により固定保持するようにしても良い。
【００３２】
さらには、ヒンジを介して回動自在な構造の２枚の板からなる反射抑止板１０３の構造とした場合、一方の板は原稿１０を載置する原稿台を兼ねるようにしても良い。この場合、他方の板が半透明な反射抑止板１０３としての機能を果たすことになる。なお、原稿台を兼ねる一方の板は、反射抑止角度まで回動させた状態の他方の板（反射抑止板１０３として機能する板）を支えるために、例えば、撮像部のスタンド式の支柱に組み合わせる構造としても良い。
【００３３】
次に、反射抑止板を画像読取装置と着脱自在な構造とする場合の構造について、その一例を、図２を用いて説明する。図２は、本発明による画像読取装置の基本的な構成の異なる例を説明するための説明図であり、反射抑止板を画像読取装置と着脱自在な構造とする一例を示すものである。図２の画像読取装置１００Ａにおいては、当該画像読取装置１００Ａと着脱自在な反射抑止板１０６として、当該画像読取装置１００Ａの原稿台１０２Ａに取り付けた際に外部からの光が原稿１０の表面から撮像部１０１Ａ方向へ反射することを遮蔽する機能を果たす抑止板１０７と、原稿を載置する載置板１０８との２枚の板からなるフォルダ構造としている。なお、図２の場合も、読み取り対象の光沢面を有する原稿の一例として免許証（９ｃｍ×６ｃｍ）を読み取る場合を例示している。
【００３４】
図２（Ａ）に示すように、本発明の異なる実施例である画像読取装置１００Ａに使用する着脱自在な反射抑止板１０６は、前述のように、折り畳み構造のフォルダ形式であり、免許証用としては、免許証サイズよりも一回り大きい１４ｃｍ×１０ｃｍのフォルダサイズとされ、室内照明などの外部からの光の反射を遮光する抑止板１０７が原稿１０（免許証）を載置する載置板１０８と回動自在な形式で固着されており、図２（Ｂ）に示すように、載置板１０８の手前側（図２（Ｂ）に示す左側）から抑止板１０７を持ち上げて、奥側（図２（Ｂ）に示す右側）に回動可能とするように、載置板１０８の奥側にヒンジ１０９を介して固着されている。
【００３５】
また、図２（Ｂ）の斜線に示すように、載置板１０８上には原稿１０を載置する載置範囲１０８ａが指定されており、ヒンジ１０９側（図２（Ｂ）に示す右側）に寄せて、１０ｃｍ×１０ｃｍの範囲に収まるように、読み取り対象の原稿１０すなわち免許証（９ｃｍ×６ｃｍ）を載置すれば、原稿１０の光沢面でのいわゆる「テカリ」現象を起こすことがない状態で、原稿１０を読み取ることができる。
【００３６】
さらに、図２（Ｂ）に示すように、載置板１０８上の載置範囲１０８ａに載置した原稿を読み取る際に、抑止板１０７は、載置板１０８からあらかじめ定めた特定の角度（例えば６５度）すなわち反射抑止角度だけ、ヒンジ１０９を介して回動させた位置に固定させるような機構を備えている。
【００３７】
ここで、図２（Ｃ）に示すように、反射抑止板１０６の抑止板１０７と載置板１０８との角度がほぼ０度となる折り畳んだ状態から、抑止板１０７を載置板１０８からヒンジ１０９を介して反射抑止角度（例えば６５度）だけ回動させて開いた状態で固定保持した後、載置板１０８上の載置範囲１０８ａに原稿１０（免許証）を載置した状態にして、そのまま、図２(Ｄ)に示すように、画像読取装置１００Ａの原稿台１０２Ａ上の所定の位置（原稿台１０２Ａの右側の辺にヒンジ１０９を一致させた位置：すなわち、画像読取装置１００Ａの撮像部１０１Ａと原稿台１０２Ａとの配置が図１に示す画像読取装置１００と同一の配置であった場合は、図１に示す原稿台１０２上の載置範囲１０４の範囲内にある位置）にセットする。
【００３８】
図２（Ｄ）のような状態に反射抑止板１０６をセットすることによって、撮像部１０１Ａの光学系からの光が原稿台１０２Ａ上に載置した反射抑止板１０６上の原稿１０に直接照射される状態にされ、原稿１０の読み取りを可能とするとともに、外部からの光（例えば室内照明の光）の原稿１０の光沢面によって反射した光が撮像部１０１Ａの光学系に入射してくることも防止することができる。
【００３９】
次に、具体的に、図１、２の画像読取装置１００、１００Ａの撮像部（すなわちスキャナヘッド部）１０１、１０１Ａに対して、室内の照明光が、光沢面を有する原稿１０の表面で反射して直接入射しないようにするための条件を求めると次のようになる。ここで、直進性を有する光の進路を遮光する条件を求める場合、原稿１０での反射の位置関係を考慮して、仮に、光沢面を有する原稿１０を含む平面が光を透過する面と仮定して、室内照明の位置が、撮像部（すなわちスキャナヘッド部）１０１、１０１Ａとは原稿１０を含む平面を挟んで面対称の反対側の位置に存在し、また、反射抑止板１０３、反射抑止板１０６の抑止板１０７の位置も、原稿１０を含む平面を挟んで面対称の反対側の位置に存在するものと見なすことができる。
【００４０】
このように、原稿１０を含む平面が光を透過する面と仮定して、光の遮光条件を与える座標を求めた後、最後に、原稿を含む平面を透過面ではなく、光を反射する反射面として、原稿を含む平面を挟んで面対称の位置に戻すことによって、実際の遮光用の反射抑止板１０３、反射抑止板１０６の抑止板１０７の実際の座標位置に変換すれば良い。原稿を含む平面に垂直な軸について、原稿を含む平面を原点（０の座標位置）とすると、このような座標変換は、原稿を含む平面に垂直な軸の座標の符号（＋、−）を逆にすれば良い。
【００４１】
次に、具体的な数値例を用いてさらに説明する。例えば、図１の画像読取装置１００における反射抑止板１０３の場合について、図３を用いて、まず説明する。図３は、図１の画像読取装置１００における反射抑止板１０３の座標関係を説明するための説明図である。図３において、ｘ，ｙ，ｚの各座標軸を、それぞれ、図３に示す左右方向、前後方向、上下方向とし、さらに、右方向、後方向、上方向が、それぞれ、正の方向、逆に、左方向、前方向、下方向が、それぞれ、負の方向とする。また、各座標軸の原点は、原稿台１０２の画像読取範囲（視野範囲）の左端中央とする。
【００４２】
図３に示すように、スタンド式の画像読取装置１００における原稿台１０２の画像読取範囲（視野範囲）は、前述したように、Ａ４サイズの原稿サイズよりも一回り大きい２２ｃｍ×３２ｃｍとしている。また、画像読取装置１００の撮像部（スキャナヘッド部）１０１は、原稿台１０２上の視野範囲の左端中央（すなわちｘ軸、ｙ軸それぞれの原点）の上方向（すなわちｚ軸方向）４８ｃｍの位置に備えられて、原稿台１０２に向かって、原稿読み取り用の光を照射する構造となっているものと仮定する。
【００４３】
すなわち、原稿台１０２の視野範囲つまり原稿載置面の上方に設置される撮像部１０１の横方向の位置は、原稿台１０２の視野範囲つまり原稿載置面の中心位置よりも、当該原稿載置面のいずれかの辺方向（すなわち、反射抑止板１０３の取り付け位置の反対側のｘ軸の原点が存在する辺方向）に偏って配置されている。
【００４４】
反射抑止板１０３を原稿台１０２上の視野範囲と同一サイズ（２２ｃｍ×３２ｃｍ）として、折り畳んで該視野範囲を覆っていた固定状態からヒンジ１０５を介して回動させて、反射抑止角度まで引き起こして固定した状態になると、撮像部１０１からの照射光が、反射抑止板１０３によって遮光されることなく、原稿台１０２の視野範囲を直接照射可能とするために、必要とする反射抑止角度として、
ｔａｎ−１（４８／２２）＝６５度
以上９０度未満の角度とすることが必要であり、ここでは、６５度の角度を反射抑止角度とする。
【００４５】
また、図３のＡ点は、原稿台１０２の右前方向の角であり、その座標は（２２，−１６，０）で与えられる。また、Ｂ点は、撮像部１０１の視野を反射抑止板１０３が遮らないように、反射抑止角度６５度の位置で固定した反射抑止板の左前方向の角であり、その座標は、
｛（２２−２２ｃｏｓ６５°），−１６，２２ｓｉｎ６５°｝
＝（１２．８，−１６，２０）
で与えられる。また、Ｃ点は、原稿台１０２が光を透過するものと仮定した場合に、Ｂ点の位置と原稿台１０２の載置面に関して面対称の位置にあり、その座標は（１２．８，−１６，−２０）で与えられる。
【００４６】
また、撮像部１０１とＣ点とを結ぶ直線が、原稿台１０２の載置面と交わる交点Ｄ点の座標は、
［１２．８×｛４８／（４８＋２０）｝，−１６｛４８／（４８＋２０）｝，０］
＝（９，−１１，０）
で与えられる。
【００４７】
同様にして、反射抑止角度６５度の位置に固定した状態で、ｙ軸が０座標となる反射抑止板１０３の左中央の位置であるＥ点の座標は、（１２．８，０，２０）で与えられ、Ｅ点の位置と原稿台１０２の載置面に関して面対称の位置にあるＦ点の座標は、（１２．８，０，−２０）で与えられる。したがって、撮像部１０１とＦ点とを結ぶ直線が、原稿台１０２の載置面と交わる交点Ｇ点の座標は、
［１２．８×｛４８／（４８＋２０）｝，０，０］＝（９，０，０）
で与えられる。
【００４８】
つまり、原稿台１０２から視野範囲（２２ｃｍ×３２ｃｍ）と同一サイズの反射抑止板１０３を回動させて、反射抑止板１０３自身が映り込まないように、約６５度の反射抑止角度で反射抑止板１０３を固定して保持した場合には、室内天井の如何なる場所に照明装置が存在していようとも、左右方向（すなわちｘ軸方向）では、右約９ｃｍから右端２２ｃｍまでの１３ｃｍの範囲に原稿１０を載置すれば、また、上下方向（すなわちｙ軸方向）では、少なくとも原点より上下約１０ｃｍの合計２０ｃｍの範囲に原稿１０を載置すれば、、室内天井の照明装置からの光が原稿台１０２に載置した原稿面で反射して、撮像部（スキャナヘッド部）１０１に対して入射することがないものとみなすことができる。
【００４９】
また、図２の画像読取装置１００Ａの場合のように、反射抑止板１０６をスタンド式の画像読取装置１００Ａ本体と着脱自在にし、画像読取装置１００Ａ本体から分離し易くするためには、反射抑止板１０６の小型化を図る必要がある。光沢面を持つ原稿１０として、免許証や保険証などのカードサイズ（９ｃｍ×６ｃｍ）に限定して、読み取り対象の原稿のサイズを９ｃｍ以内に限った場合に、反射抑止板１０６のサイズを求める方法について、図４を参照しながら次に説明する。図４は、図２の画像読取装置１００Ａにおける反射抑止板１０６の座標関係を説明するための説明図である。
【００５０】
図４においても、図３の場合と同様、ｘ，ｙ，ｚの各座標軸を、それぞれ、図４に示す左右方向、前後方向、上下方向とし、さらに、右方向、後方向、上方向が、それぞれ、正の方向、逆に、左方向、前方向、下方向が、それぞれ、負の方向とする。また、各座標軸の原点は、載置板１０８の画像読取範囲（視野範囲）の左端中央とする。また、図４においても、図３の場合と同様に、原稿１０を含む平面が光を透過する面と仮定して、反射抑止板１０６のサイズを算出する算出方法について説明する。
【００５１】
画像読取装置１００Ａ本体から着脱自在に分離される反射抑止板１０６の右端（すなわちｘ軸の奥側の辺端）は、画像読取装置１００Ａ本体の原稿台１０２Ａ上に載置される場合、図２にて説明したように、スタンド式の画像読取装置１００Ａの原稿台１０２Ａの右端（すなわちｘ軸の奥側の辺端）に合わせてセットされる。また、画像読取装置１００Ａの原稿台１０２Ａの視野範囲は、図３の場合と同様に、２２ｃｍ×３２ｃｍであり、画像読取装置１００Ａの撮像部（スキャナヘッド部）１０１Ａも、図３の場合と同様に、原稿台１０２Ａ上の視野範囲の左端中央（すなわちｘ軸、ｙ軸それぞれの原点）の上方向（すなわちｚ軸方向）４８ｃｍの位置に備えられて、原稿台１０２Ａに向かって、原稿読み取り用の光を照射する構造となっているものと仮定する。
【００５２】
すなわち、原稿台１０２Ａの視野範囲つまり原稿載置面の上方に設置される撮像部１０１Ａの横方向の位置は、原稿台１０２Ａの視野範囲つまり原稿載置面の中心位置よりも、当該原稿載置面のいずれかの辺方向（すなわち、反射抑止板１０６の載置位置の反対側のｘ軸の原点が存在する辺方向）に偏って配置されている。
【００５３】
ここで、図２（Ｃ）、（Ｄ）にて説明したように、反射抑止板１０６の抑止板１０７を、載置板１０８上に折り畳んだ状態から、ヒンジ１０９を介して回動させて反射抑止角度まで引き起こして固定して、原稿１０を載置板１０８上の所定の載置範囲１０８ａに載置した状態で、原稿台１０２Ａ上の図２で説明したような位置にセットした場合、撮像部１０１Ａからの照射光が、反射抑止板１０６の抑止板１０７によって遮光されることなく、載置板１０８上の載置範囲の載置された原稿１０を直接照射可能とするために、必要とする抑止板１０７の反射抑止角度として、図３の場合と同様に、
ｔａｎ−１（４８／２２）＝６５度
以上９０度未満の角度とすることが必要である。ここでは、６５度の角度を反射抑止角度とする。
【００５４】
一方、載置板１０８の所定の載置範囲１０８ａに載置した光沢面を有する原稿（例えば免許証）の高さ方向（すなわち、図４のｘ軸方向）の幅は、前述の通り、９ｃｍである。したがって、前述のように、原稿台１０２Ａ上の所定の位置に反射抑止板１０６の載置板１０８をセットした場合、原稿１０の左辺中央（すなわち、図４のｘ軸の手前側の辺の中央）の位置を示すＩ点の座標は
｛（２２−９），０，０｝＝（１３，０，０）
で与えられる。また、原稿１０の右辺中央（すなわち、図４のｘ軸の奥側の辺の中央）の位置を示すＪ点の座標は、（２２，０，０）で与えられる。
【００５５】
次に、原稿１０を含む平面が光を透過する面であり、反射抑止板１０６の抑止板１０７が、原稿１０を含む平面の反対側の面対称の位置に配置されていると仮定した場合、原稿１０を含む平面に関して面対称に反射抑止角度６５度でＪ点から傾斜した直線と、撮像部１０１ＡとＩ点とを結ぶ直線の延長線とは、それぞれ、
ｚ  ＝  ｔａｎ６５°・ｘ−２２ｔａｎ６５°
ｚ  ＝  −（４８／９）ｘ＋４８
で与えられ、これらの２つの直線の交点Ｋ点の座標は、
（１６．３，０，−１２．３）
で与えられる。
【００５６】
実際には、原稿１０を含む平面で光が反射することを考慮すると、Ｋ点の位置と原稿１０を含む平面に関して面対称の位置にあるＬ点の座標は、（１６．３，０，１２．３）で与えられる。このＬ点とＪ点との間の距離が、反射抑止板１０６の抑止板１０７として最低限度確保すべき幅となり、
１２．３／ｓｉｎ６５°＝１３．５≒１４  （ｃｍ）
で与えられる。この幅は、原稿１０の長手方向のサイズ（９ｃｍ）をカバーするための反射抑止板１０６の抑止板１０７の幅を与えている。
【００５７】
同様にして、原稿１０の短手方向のサイズ（６ｃｍ）をカバーするための反射抑止板１０６の抑止板１０７の幅を求めると、１０ｃｍとなる。したがって、反射抑止板１０６の抑止板１０７のサイズとしては、図２にて説明したように、１４ｃｍ×１０ｃｍと決定することができる。なお、反射抑止板１０６の載置板１０８のサイズも、原稿１０のサイズよりも一回り大きいサイズであれば如何なるサイズでも良いので、反射抑止板１０６としての取り扱いの利便性も考慮して、抑止板１０７と同一のサイズとして良い。
【００５８】
以上に詳細に説明したように、スタンド式の画像読取装置を用いて光沢面を有する原稿を読み取る場合、画像読取装置と反射抑止板とを一体構造としている場合には、図１の画像読取装置１００に示すように、例えば２重構造として製作されている原稿台１０２の一方の板（半透明の素材からなる板）を構成する反射抑止板１０３を、ヒンジ１０５を介して回動させて、原稿台１０２の原稿載置面との間の角度が、反射抑止角度として指定される特定の角度（例えば６５度）となる位置に固定して保持する。かくのごとく、反射抑止板１０３を原稿台１０２の原稿載置面に対して回動自在とするヒンジ１０５と、ヒンジ１０５により反射抑止板１０３を回動させて、原稿台１０２の原稿載置面となす角度を、ほぼ０度の角度と、９０度を超えない角度の範囲内であらかじめ設定した反射抑止角度と、の二つの角度のいずれかに固定して保持する機構とを備えている。
【００５９】
次に、画像の読み取り対象となる光沢面を有する原稿１０を、載置範囲１０４として定めた原稿台１０２上の所定の範囲（反射抑止板１０３を取り付けたヒンジ１０５側に近接する範囲）内にセットする。しかる後、反射抑止板１０３を反射抑止角度に保持したままの状態で、撮像部１０１により原稿１０の画像読込みを行う。この結果、原稿１０の光沢面でいわゆる「テカリ」現象を起こすことがない状態で、原稿１０を読み取ることができる。
【００６０】
また、反射抑止板をスタンド式の画像読取装置と一体構造としないで、着脱自在な構造とする場合には、図２の画像読取装置１００Ａに示すように、画像読取装置１００Ａから分離されて折畳まれている反射抑止板１０６の抑止板１０７（半透明の素材からなる）を、ヒンジ１０９を介して回動させて、原稿載置面となる載置板１０８の間の角度が、反射抑止角度として指定される特定の角度（例えば６５度）となる位置に固定して保持する。かくのごとく、反射抑止板１０６は、抑止板１０７を載置板１０８に対して回動自在とするヒンジ１０９と、ヒンジ１０９により抑止板１０７を回動させて、載置板１０８となす角度を、ほぼ０度の角度と、９０度を超えない角度の範囲内であらかじめ設定した特定の反射抑止角度と、の二つの角度のいずれかに固定して保持する機構とを備えている。
【００６１】
次に、画像の読み取り対象となる光沢面を有する原稿１０を、載置範囲１０８ａとして定めた載置板１０８上の所定の範囲（抑止板１０７を取り付けたヒンジ１０９側に近接する範囲）内にセットする。そして、抑止板１０７を反射抑止角度に保持したままの状態で、反射抑止板１０６を、図１の場合の載置範囲１０４と同様の原稿台１０２Ａ上の所定の範囲（図２（Ｄ）のように、原稿台１０２Ａの右辺側に近接する範囲）内にセットする。しかる後、反射抑止板１０６の抑止板１０７を反射抑止角度に保持したままの状態で、撮像部１０１Ａにより原稿１０の画像読込みを行う。この結果、着脱式の反射抑止板１０６を用いる場合であっても、図１の場合と同様に、原稿１０の光沢面でいわゆる「テカリ」現象を起こすことがない状態で、原稿１０を読み取ることができる。
【００６２】
（実施例の効果の説明）
前述のような本発明の実施例によれば、室内の照明環境の如何によらず、画像読取装置１００、１００Ａの原稿載置面に反射抑止板１０３、１０６を、一体化して、あるいは、着脱自在な形式で、備える構造にするとともに、光沢面を有する原稿１０を載置する範囲を載置範囲１０４、１０８ａとして指定することができるので、原稿１０の光沢面でいわゆる「テカリ」現象を起こさずに、画像の読み取りを行うことができる場所を探し出す手間が不要であるという効果が得られる。
【００６３】
また、室内の照明環境の如何によらず、画像読取装置１００、１００Ａを任意の場所で使用したとしても、光沢面を有する原稿１０を読み取る際の原稿１０の光沢面でのいわゆる「テカリ」現象を低減することができるので、画像読取装置（スタンド式スキャナ装置や書画カメラ装置など）そのものを移動させて、いわゆる「テカリ」を伴うことなく読み込みが可能な場所を探し出す手間も不要であるという効果が得られる。
【００６４】
さらに、従来技術のように、表面にシボ加工を施した透明フィルムに原稿を挟んだり、半透明の導光板と原稿台との間に原稿を挟み込んだりするものではなく、画像読取装置１００、１００Ａの光学系に入射する外部からの光を反射抑止板１０３、１０６によって遮光する方式を用いているので、原稿１０の光沢面とシボ加工を施した透明フィルムや半透明の導光板との間に生じる隙間を防止する手段を用意する必要はなく、光沢面を有する原稿１０を読み込む場合であっても、あらかじめ特定されている原稿台１０２、１０２Ａの指定位置すなわち載置範囲１０４、１０８ａの範囲内に原稿１０を載置するだけで、いわゆる「テカリ」現象を低減した画像を読み取ることができるという効果が得られる。
【００６５】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００６６】
【図１】本発明による画像読取装置の基本的な構成の一例を説明するための説明図である。
【図２】本発明による画像読取装置の基本的な構成の異なる例を説明するための説明図である。
【図３】図１の画像読取装置における反射抑止板の座標関係を説明するための説明図である。
【図４】図２の画像読取装置における反射抑止板の座標関係を説明するための説明図である。
【図５】従来の画像読取装置の反射防止手段として透明フィルムを用いる例を示す模式図である。
【図６】従来の画像読取装置の反射防止手段として導光板を用いる例を示す模式図である。
【符号の説明】
【００６７】
１０          原稿
１１          原稿
１２          透明フィルム
１００        画像読取装置
１００Ａ      画像読取装置
１００Ｂ      画像読取装置
１００Ｃ      画像読取装置
１０１        撮像部
１０１Ａ      撮像部
１０１Ｂ      撮像部
１０１Ｃ      撮像部
１０２        原稿台
１０２Ａ      原稿台
１０２Ｂ      原稿台
１０２Ｃ      原稿台
１０３        反射抑止板
１０４        載置範囲
１０５        ヒンジ
１０６        反射抑止板
１０７        抑止板
１０８        載置板
１０８ａ      載置範囲
１０９        ヒンジ
１１０        導光板
【図１】
2008131325.tif 000003
【図２】
2008131325.tif 000004
【図３】
2008131325.tif 000005
【図４】
2008131325.tif 000006
【図５】
2008131325.tif 000007
【図６】
2008131325.tif 000008